(57)【特許請求の範囲】
【請求項１】
情報基地局と、この情報基地局との間で中継装置を通じて通信を行う移動受信端末とを備えた情報配信受信システムにおける情報配信受信方法であって、
上記情報基地局は、
情報発信源の位置情報を含む基本情報と、上記基本情報と関連する詳細情報とが格納された記録装置から上記基本情報を読み出し、
上記中継装置を通じて上記移動受信端末に向けて上記基本情報を配信し、
上記移動受信端末から上記中継装置を通じて上記詳細情報の要求を受信し、
上記移動受信端末から要求された上記詳細情報を上記記録装置から読み出し、
上記記録装置から読み出された上記詳細情報を上記詳細情報の要求があった移動受信端末に向けて発信し、
上記移動受信端末は、
自己の位置を検出し、
上記中継装置を通じて上記情報基地局から上記基本情報を受信し、
上記基本情報中の上記位置情報および検出された上記自己の位置から上記情報発信源と自己の間の距離を演算し、
演算された上記距離と、予め利用者により設定されたカテゴリーおよびそのカテゴリーについての興味の度合いに基づいて優先度を決定し、
上記優先度に応じて複数の基本情報を優先順にユーザに提示し、
ユーザによる所望の基本情報の選択を受け付け、
選択された上記基本情報に対する上記詳細情報の送信を上記情報基地局に対して要求する
ことを特徴とする情報配信受信システムにおける情報配信受信方法。
【請求項２】
請求項１において、
さらに、上記基本情報は、上記情報基地局の電話番号を含み、
上記移動受信端末は、上記情報基地局に対して上記電話番号をダイヤルすることによって接続を行うことを特徴とする情報配信受信方法。
【請求項３】
請求項１において、
上記情報受信端末を車載にて使用することを特徴とする情報配信受信方法。
【請求項４】
情報基地局と、この情報基地局との間で中継装置を通じて通信を行う移動受信端末とを備えた情報配信受信システムにおける情報配信受信方法であって、
上記情報基地局は、
情報発信源の位置情報を含む基本情報と、上記基本情報と関連する詳細情報とが格納された記録装置から上記基本情報を読み出し、
上記移動受信端末から上記中継局を通じて受信したサービス利用開始信号に従って上記中継装置を通じて上記移動受信端末に向けて上記基本情報を配信し、
上記移動受信端末から上記中継装置を通じて上記詳細情報の要求を受信し、
上記移動受信端末から要求された上記詳細情報を上記記録装置から読み出し、
上記記録装置から読み出された上記詳細情報を上記詳細情報の要求があった移動受信端末に向けて発信し、
上記移動受信端末は、
自己の位置を検出し、
上記中継装置に対してサービス利用開始信号および自己の位置情報を送信し、
上記中継装置を通じて上記情報基地局から上記基本情報を受信し、
上記基本情報中の上記位置情報および検出された上記自己の位置から上記情報発信源と自己の間の距離を演算し、
演算された上記距離と、予め利用者により設定されたカテゴリーおよびそのカテゴリーについての興味の度合いに基づいて優先度を決定し、
上記優先度に応じて複数の基本情報を優先順にユーザに提示し、
ユーザによる所望の基本情報の選択を受け付け、
選択された上記基本情報に対する上記詳細情報の送信を上記情報基地局に対して要求し、
上記中継装置は、
上記移動受信端末からサービス利用開始信号およびその位置情報を受信し、
上記情報基地局の位置情報と上記情報基地局の読み出し番号が格納された記録装置によって、上記移動受信端末からのサービス利用開始信号を最寄りの上記情報基地局に転送する
ことを特徴とする情報配信受信システムにおける情報配信受信方法。
【請求項５】
情報基地局から中継装置を通じて基本情報が配信され、上記基本情報と関連する詳細情報を受信する移動受信方法であって、
自己の位置を検出し、
上記中継装置を通じて受信された上記基本情報中の上記位置情報および検出された上記自己の位置から上記情報発信源と自己の間の距離を演算し、
演算された上記距離と、予め利用者により設定されたカテゴリーおよびそのカテゴリーについての興味の度合いに基づいて優先度を決定し、
上記優先度に応じて複数の基本情報を優先順にユーザに提示し、
ユーザによる所望の基本情報の選択を受け付け、
選択された上記基本情報に対する上記詳細情報の送信を上記情報基地局に対して要求する
ことを特徴とする情報配信受信システムにおける移動受信方法。
【発明の詳細な説明】
【０００１】
【発明の属する技術分野】
この発明は、情報基地局と移動受信端末とで構成される情報サービスに適用される情報配信受信方法および移動受信方法に関する。
【０００２】
【従来の技術】
通信システムを利用した情報サービスのいくつかの形態が実用化されている。すなわち、ポケットベル（ページャ）または携帯電話システムを利用した情報サービス、道路情報等を提供するナビゲーションシステム、並びにＦＭ放送またはテレビジョン放送を利用した文字、データ放送が既に実用化されている。
【０００３】
【発明が解決しようとする課題】
かかる従来の情報サービスは、広範囲にわたって共通の情報を配信するものであって、ユーザが居る場所に応じたきめ細かい情報を提供することが難しかった。そのような情報を提供しようとすると、情報量が膨大となり、情報を取得するユーザも情報の検索に手間がかかることになる。
【０００４】
また、ポケットベル、携帯電話システム、ナビゲーションシステムを利用した情報サービスは、ユーザが欲しい情報のカテゴリーや内容を能動的に要求する必要がある。従って、提供される情報に興味のあるユーザが頻繁に利用する結果となり、サービス提供者が新規顧客を獲得する機会が減少する問題がある。さらに、放送を利用した情報サービスでは、ユーザが受動的に情報を得ることができる反面、ユーザ個人の興味、嗜好が反映されず、ユーザが不満を持つ問題があった。
【０００５】
従って、この発明の目的は、ユーザの検索労力を増加させることなく、ユーザが居る場所、ユーザの興味、嗜好に応じた情報を提供することが可能な情報配信受信方法および移動受信方法を提供することにある。
【０００６】
【課題を解決するための手段】
以上の問題を解決するために、請求項１の発明は、情報基地局と、この情報基地局との間で中継装置を通じて通信を行う移動受信端末とを備えた情報配信受信システムにおける情報配信受信方法であって、
情報基地局は、
情報発信源の位置情報を含む基本情報と、基本情報と関連する詳細情報とが格納された記録装置から基本情報を読み出し、
中継装置を通じて移動受信端末に向けて基本情報を配信し、
移動受信端末から中継装置を通じて詳細情報の要求を受信し、
移動受信端末から要求された詳細情報を記録装置から読み出し、
記録装置から読み出された詳細情報を詳細情報の要求があった移動受信端末に向けて発信し、
移動受信端末は、
自己の位置を検出し、
中継装置を通じて情報基地局から基本情報を受信し、
基本情報中の位置情報および検出された自己の位置から情報発信源と自己の間の距離を演算し、
演算された距離と、予め利用者により設定されたカテゴリーおよびそのカテゴリーについての興味の度合いに基づいて優先度を決定し、
優先度に応じて複数の基本情報を優先順にユーザに提示し、
ユーザによる所望の基本情報の選択を受け付け、
選択された基本情報に対する詳細情報の送信を情報基地局に対して要求する
ことを特徴とする情報配信受信システムにおける情報配信受信方法である。
【０００７】
優先度を決定する時に、好ましくは、距離の情報とユーザの興味の度合いの情報とが用いられる。
【０００８】
請求項４の発明は、情報基地局と、この情報基地局との間で中継装置を通じて通信を行う移動受信端末とを備えた情報配信受信システムにおける情報配信受信方法であって、
情報基地局は、
情報発信源の位置情報を含む基本情報と、基本情報と関連する詳細情報とが格納された記録装置から基本情報を読み出し、
移動受信端末から中継局を通じて受信したサービス利用開始信号に従って中継装置を通じて移動受信端末に向けて基本情報を配信し、
移動受信端末から中継装置を通じて詳細情報の要求を受信し、
移動受信端末から要求された詳細情報を記録装置から読み出し、
記録装置から読み出された詳細情報を詳細情報の要求があった移動受信端末に向けて発信し、
移動受信端末は、
自己の位置を検出し、
中継装置に対してサービス利用開始信号および自己の位置情報を送信し、
中継装置を通じて情報基地局から基本情報を受信し、
基本情報中の位置情報および検出された自己の位置から情報発信源と自己の間の距離を演算し、
演算された距離と、予め利用者により設定されたカテゴリーおよびそのカテゴリーについての興味の度合いに基づいて優先度を決定し、
優先度に応じて複数の基本情報を優先順にユーザに提示し、
ユーザによる所望の基本情報の選択を受け付け、
選択された基本情報に対する詳細情報の送信を情報基地局に対して要求し、
中継装置は、
移動受信端末からサービス利用開始信号およびその位置情報を受信し、
情報基地局の位置情報と情報基地局の読み出し番号が格納された記録装置によって、移動受信端末からのサービス利用開始信号を最寄りの情報基地局に転送する
ことを特徴とする情報配信受信システムにおける情報配信受信方法である。
【０００９】
請求項５の発明は、情報基地局から中継装置を通じて基本情報が配信され、基本情報と関連する詳細情報を受信する移動受信方法であって、
自己の位置を検出し、
中継装置を通じて受信された基本情報中の位置情報および検出された自己の位置から情報発信源と自己の間の距離を演算し、
演算された距離と、予め利用者により設定されたカテゴリーおよびそのカテゴリーについての興味の度合いに基づいて優先度を決定し、
優先度に応じて複数の基本情報を優先順にユーザに提示し、
ユーザによる所望の基本情報の選択を受け付け、
選択された基本情報に対する詳細情報の送信を情報基地局に対して要求する
ことを特徴とする情報配信受信システムにおける移動受信方法である。
【００１１】
この発明では、情報サービスにおいて、サービスする情報以外に情報発信源の位置情報を発信し、受信端末では、自己の位置と受信した位置情報とから自己と情報発信源との距離を演算する。この距離に基づいて優先度を演算し、優先度に従って基本情報を提示する。さらに、距離情報と、ユーザの興味の度合いとを用いて決定した優先度に従って基本情報を提示する。また、提示された基本情報の中で詳細な情報を希望するものが選択されると、選択した基本情報に対する詳細情報の送信要求が情報基地局へ向けてなされ、情報基地局からの詳細情報が移動情報端末に送信される。このように、基本情報を配信することによって、新規顧客獲得の機会が増える。また、優先度に従って情報を提示することによって、ユーザが使い易いと共に、ユーザの居る場所、興味に応じた情報のサービスが可能となる。
【００１２】
【発明の実施の形態】
以下、この発明の一実施形態について図面参照して説明する。図１は、この発明の一実施形態の情報配信受信システムの構成を示す。このシステムは、情報基地局１、情報蓄積用の記録媒体からなるデータベース２、人工衛星３および携帯情報端末４により主として構成される。データベース２には、情報基地局が提供する情報が格納されている。
【００１３】
情報基地局１には、データベース２に格納されている情報を人工衛星３経由で携帯情報端末４に向けて配信する機能と、携帯情報端末４からの詳細情報の送信要求を受けるための電話システムとを備える。情報基地局１は、各情報発信源の概要を示す基本情報を人工衛星３を経由して随時配信し、また、携帯情報端末４からの詳細情報の送信要求に応答して詳細情報を人工衛星３を経由して携帯情報端末４に配信する。
【００１４】
基本情報および詳細情報は、例えば情報カテゴリーと各情報カテゴリーに含まれる情報のように、提供情報における上位分類および下位分類にそれぞれ対応する情報である。携帯情報端末４は、基本情報に基づいて詳細情報の送信要求を発信する。
【００１５】
人工衛星３は、情報基地局１からの基本情報および詳細情報を中継し、携帯情報端末４に向けてそれぞれの情報を送信する。人工衛星３を利用した移動体衛星通信システムとしては、静止衛星および非静止衛星の何れを使用したものでも良い。
【００１６】
携帯情報端末４は、ユーザの嗜好または目的情報、興味の度合い情報が格納された記録媒体、人工衛星３からの送信情報を受信するアンテナおよび衛星チューナ、自らの現在位置を検出する位置測定手段例えばＧＰＳ(Global Positioning System) 、情報基地局１に対して要求を送るための携帯電話システム、液晶等の表示部および入力部から構成されている。入力部によってユーザが嗜好または目的情報、興味の度合いを入力できる。入力部は、押しボタンスイッチ、タッチパネル方式のスイッチ、ＧＵＩの単独または組み合わせの構成である。
【００１７】
次に、上述した一実施形態の処理についてフローチャートを参照して説明する。図２は、情報配信受信システムの処理の流れを示す。情報基地局１からは、随時、基本情報が発信されていることを前提とする。
【００１８】
携帯情報端末４の所定のスイッチがオンされると情報受信モードに移行する（ステップＳ１）。この情報受信モードにおいては、衛星チューナが動作状態とされ、人工衛星３を介して送信されている情報基地局１からの基本情報の受信が可能な状態となる。なお、ＧＰＳによる位置測定動作は、携帯情報端末４の電源がオン状態でなされている。
【００１９】
そして、情報基地局１の発信した基本情報が人工衛星３を経由して携帯情報端末４に受信される（ステップＳ２）。図３は、受信される基本情報の構成例を示す。基本情報は、基本情報を識別するための情報識別番号１１、情報基地局の電話番号１２、情報カテゴリー１３、情報発信源の位置情報１４および基本的な内容１５からなる。情報カテゴリー１３は、ユーザが入力した目的によって選択されるカテゴリーである。
【００２０】
ステップＳ３では、受信し、目的に応じて選択された基本情報に対する優先度が計算される。そして、ステップＳ４において、優先度順に基本情報が表示される。優先度の計算については、後述する。
【００２１】
ステップＳ５では、表示された基本情報の中でユーザがさらに詳細な情報を知りたい場合、該当する基本情報の選択操作がなされる。携帯情報端末４から選択された基本情報に対する詳細情報の送信を情報基地局１に対して要求する。つまり、携帯情報端末４は、選択された基本情報中の情報基地局の電話番号１２（図３参照）を自動的にダイヤルし、携帯電話システムを介して詳細情報の送信を要求する。
【００２２】
情報基地局１は、詳細情報の送信要求を受け取ると、送信要求中の情報識別番号の詳細情報をデータベース２から読み出し、この詳細情報を人工衛星３経由で配信する（ステップＳ６）。配信された詳細情報を携帯情報端末４が受信する（ステップＳ７）。携帯情報端末４は、受信した詳細情報を表示する（ステップＳ８）。
【００２３】
そして、ステップＳ９において、情報受信モードを終了するかどうかが決定される。さらに、他の詳細情報を取得したい場合には、ステップＳ５（詳細情報送信要求）に処理が戻る。情報受信モードを終了し、詳細情報の表示が不要と決定されると、一連の情報受信モードの処理が終了する。
【００２４】
上述した情報配信受信システムにおいて、基本情報を無料またはかなり低価格で配信し、詳細情報を有料で配信することが好ましい。一般的に基本情報は、詳細情報に比してデータ量が少ないので、基本情報を随時、無料または低価格で配信しても、情報インフラの混雑を招かない。また、基本情報をユーザが少ない負担で入手可能とすることは、情報提供側からは、新規顧客を獲得する機会を増える利点がある。一方、希望する詳細情報を受信する場合のみが有料であることは、ユーザにとって許容できる。
【００２５】
ステップＳ３においてなされる優先度計算処理について図４を参照して説明する。先ず、ステップＳ３１において、ユーザが設定した「目的」に基づいて情報カテゴリーが限定され、必要とする基本情報が選択される。「目的」は、携帯情報端末４のユーザにより予め入力される。
【００２６】
図５は、目的と対象カテゴリーの関係の一例を示す。２１が目的リストであり、２２が目的に対応するカテゴリーリストである。目的リスト２１の中から、ユーザが一または複数個の目的を選択する。それによって、対象カテゴリーが限定される。例えば携帯情報端末４の表示部に図５に示すリストが表示され、カーソル移動とスイッチ操作によって、所望の目的を入力できる。対象カテゴリーは、基本情報中の情報カテゴリー（図３）と対応するものである。
【００２７】
次に、ステップＳ３２において、情報発信源と携帯情報端末４との間の距離が算出される。基本情報中には、情報発信源の位置情報１４（図３参照）が含まれ、携帯情報端末４の位置は、ＧＰＳによって分かるので、距離を計算できる。必要に応じて距離が近似値に変換される。
【００２８】
そして、ステップＳ３３において、設定された「興味の度合い」とステップＳ３２で算出した距離と優先度決定関数とを用いて優先度が計算される。「興味の度合い」は、予め設定されたものである。図６は、「興味の度合い」を決定する時に使用されるリストの一例を示す。図６において２３で示されるのが大分類であり、２４で示されるのが中分類であり、２５で示されるのが小分類（情報カテゴリーに対応する）である。小分類２５に対して興味の度合いの程度を示す数値を入力する。「目的」の選択と同様に、携帯情報端末４の表示部に図６に示すリストが表示され、カーソル移動とスイッチ操作によって、「興味の度合い」を入力できる。ここでは、興味の度合いを数字の０〜５で表現している。優先度決定関数については後述する。
【００２９】
ある基本情報に対する優先度の計算が完了すると、ステップＳ３４において、全ての基本情報に対して優先度計算が終了したかどうかが決定される。全ての基本情報に対して優先度計算がされていないならば、ステップＳ３２に戻り、他の基本情報に関して優先度が計算される。
【００３０】
そして、全ての基本情報に対して優先度計算がなされるとステップＳ３５に処理が移行する。ステップＳ３５において、優先度の高い順に基本情報が並び替えられる。ステップＳ３５の後に、ステップＳ４（基本情報の表示）の処理がなされる。つまり、ユーザに提示される基本情報は、優先度の高いものからその低いものに順に並び替えられたものである。従って、詳細情報を要求する基本情報を決定する操作が容易となる。
【００３１】
優先度決定関数のいくつかの例について説明する。ここで、（Ｘ：情報発信源から携帯情報端末までの距離、Ｐ：優先度、Ｌ：興味の度合い）である。第１の例は、
Ｐ＝  Ｌ          （０≦Ｘ≦Ｄ0 ）
Ｐ＝  Ｌ−ａＸ    （Ｘ＞Ｄ0 ）（ａ：減衰定数）
である。この優先度決定関数を図７に示す。Ｄ0 は、距離に関するしきい値であり、発信源と携帯情報端末との距離ＸがＤ0 より小の時には、Ｐ＝Ｌとされ、距離ＸがＤ0 以上の時には、距離の増大に伴って優先度Ｐが小となる。
【００３２】
優先度決定関数の第２の例は、
Ｐ＝  Ｌ／（１＋ｅ-bx ）（ｂ：減衰定数）
である。この優先度決定関数を図８に示す。
【００３３】
優先度決定関数の第３の例は、下式に示すものであり、この優先度決定関数を図９に示す。
【００３４】
【数１】
0003900681.tif 000002
【００３５】
優先度決定関数の第４の例は、
Ｐ＝  Ｌ−ｋ・Ｘ  （ｋ：減衰定数）
である。この優先度決定関数を図１０に示す。
【００３６】
上述したこの発明の一実施形態について、より具体的に説明する。図１１は、情報サービスのシステムの一例を示す。５が情報基地局１のテリトリーであり、このテリトリー５内に情報発信源６、７、８、９が存在する。情報発信源６は、例えば野球場であり、情報発信源６と関連する情報Ａ、Ｂがデータベース２内に存在する。情報発信源７は、例えばショッピングセンターであり、情報発信源８は、例えばレストランであり、情報発信源７は、例えば郵便局である。これらの情報発信源７、８、９とそれぞれ関連する情報Ｃ、Ｄ、Ｅがデータベース２内に存在する。
【００３７】
情報基地局１は、テリトリー５内の情報発信源の情報（情報Ａ、Ｂ、Ｃ、Ｄ、Ｅ）をデータベース２内に有し、人工衛星３経由で情報Ａ、Ｂ、Ｃ、Ｄ、Ｅの内の基本情報が情報基地局１から配信されている。携帯情報端末４は、情報Ａ，Ｂ，Ｃ，Ｄ，Ｅの基本情報を受信する（図２中のステップＳ２）。次に、優先度を計算する（ステップＳ３）。優先度を決定する時には、先ず設定された目的により対象カテゴリーが限定される（図４中のステップＳ３１）。例えば、目的として「スポーツ」、「ファッション」、「食事」が設定されており、限定された対象カテゴリーに情報Ａ，Ｂ，Ｃ，Ｄが含まれているものとする。この時点で、情報発信源７例えば郵便局の情報Ｅが対象カテゴリーでないと判断される。
【００３８】
次に、情報Ａ、Ｂ、Ｃ、Ｄの基本情報に対して優先度を計算するために、情報発信源６、７、８と携帯情報端末４との距離Ｄ１、Ｄ２、Ｄ３が計算される（ステップＳ３２）。得られた距離情報Ｄ１〜Ｄ３と、興味の度合いＬと、優先度決定関数が用て優先度が計算される（ステップＳ３３）。
【００３９】
図１２は、情報Ａ、Ｂ、Ｃ、Ｄ、Ｅ、・・・のそれぞれに設定されている興味の度合いＬの一例を示す。各カテゴリーに対して興味の度合いＬが０〜５の６段階で設定されている。０が興味無しであり、５が最も興味が高いことを表す。そして、図１２の例では、情報Ａ、Ｂ、Ｃ、Ｄの基本情報に対する興味の度合いＬが３、４または５である。例えば図７に示す第１の例を使用すると、興味の度合いと対応して図１３の実線で示す優先度決定関数が使用される。
【００４０】
情報Ａは、距離Ｘ＝Ｄ１、興味の度合いＬ＝５であるので、図１３の（Ｌ＝５）の関数にＤ１を当てはめることによって、情報Ａの優先度が求まる。また、情報Ｂの優先度が距離Ｄ１と興味の度合いＬ＝３により算出される。同様に、情報Ｃの優先度がＤ３とＬ＝４から求まり、情報Ｄの優先度がＤ２とＬ＝４から求まる。このように、興味の度合いが等しい場合であれば、距離の近い方が優先度が高く、同じ距離であれば、興味の度合いが大きい方が優先度が高くなることがわかる。但し、情報Ａと情報Ｃのように興味の度合いは情報Ａの方が大きいにもかかわらず、距離の関係で優先度が逆転することも起こりうる。
【００４１】
上述したように、情報Ａ、Ｂ、Ｃ、Ｄの全ての基本情報に対しての優先度計算が完了すると、優先度の高い順に基本情報の並び替えがなされる（ステップＳ３５）。そして、優先度順の基本情報が表示される（ステップＳ４）。この表示例を図１４に示す。表示レイアウトは、優先度に基づいた優先順位３１と、情報のカテゴリー３２と、情報発信源までの距離３３と、基本情報の内容３４を１行として表示するものである。
【００４２】
さらに詳細な情報をユーザが知りたい場合には、基本情報を選択する。選択された基本情報中の情報基地局の電話番号１２（図３参照）をＰＨＳ（Parsonal Handy Phone System ）等を用いてダイヤルアップし、その情報基地局１と携帯情報端末４との接続を確立し、詳細情報の送信を情報基地局に対して要求する（ステップＳ５）。例えば、優先順位が最上位の基本情報が選択され、詳細情報の送信が要求される。
【００４３】
情報基地局１において、携帯情報端末４からの送信要求中の識別番号に基づいて情報データに関する詳細情報がデータベース２より読み出され、この詳細情報が情報基地局１から人工衛星３を経由して配信される。配信された詳細情報を人工衛星３を経由して携帯情報端末４が受信し、表示する。必要があれば、携帯情報端末４に接続したプリンタによってハードコピーが作成される。さらに、必要であれば、携帯情報端末４が有している記録媒体に受信した情報を記録することができる。
【００４４】
図１５は、携帯情報端末４の表示部に表示される詳細情報の一例を示す。４１が現在位置から情報発信源７までの経路の地図であり、４２がユーザに対する文字メッセージである。地図４１には、情報発信源の名称およびその位置と、ユーザの現在位置とが表示される。文字メッセージ４２には、営業内容等が表示される。さらに、ユーザが他の詳細情報を入手したい場合には、他の基本情報を選択すれば良く、その結果、上述したのと同様の処理がなされ、選択した他の基本情報と対応する詳細情報を入手できる。
【００４５】
この発明の他の実施形態について説明する。図１６に示される実施形態は、情報基地局１から携帯情報端末４へ携帯電話システムを用いて詳細情報を配信するものである。基本情報は、人工衛星３を経由して配信される。
【００４６】
図１７に示される実施形態は、図１に示す一実施形態の構成に対して、さらに、データベース１０２を有する中継局１０１を付加したものである。データベース１０２には、各情報基地局の位置情報と電話システムの番号が格納されている。中継局１０１は、携帯情報端末４からのサービス利用開始信号と位置情報とを受け取る。データベース１０２の位置情報と携帯情報端末４からの位置情報とから両者の距離を計算する。それによって、携帯情報端末４に最も近い情報基地局に対してサービス利用開始信号を転送する。従って、情報基地局１は、サービス利用開始信号を受け取ってから、基本情報を携帯情報端末４に送信すれば良い。図１７に示される実施形態では、一実施形態のように、基本情報を常時配信する必要がなく、人工衛星３を効率的に運用することが可能となる。
【００４７】
図１８、図１９および図２０は、上述した図１７に示す他の実施形態の一部を変形した構成例を示す。図１８に示す構成は、詳細情報を人工衛星経由で配信し、基本情報を携帯電話システムを利用して配信するようにしたものである。図１９に示す構成は、基本情報を人工衛星経由で配信し、詳細情報を携帯電話システムを利用して配信するようにしたものである。図２０に示す構成は、基本情報および詳細情報の両者を携帯電話システムを利用して配信するようにしたものである。図２０の構成では、人工衛星３、情報基地局１における人工衛星を利用しての情報配信機能並びに携帯情報端末４における衛星チューナを省略でき、装置全体としての簡素化および低コスト化が可能となる。
【００４８】
なお、携帯情報端末４を車載装置例えばナビゲーションシステムに組み込むようにしても良い。また、興味の度合いを設定した値に固定せずに、カテゴリーに対するアクセス履歴、アクセスの頻度によって興味の度合いを増減させるようにしても良い。
【００４９】
さらに、上述した一実施形態と他の実施形態においては、携帯情報端末４と情報基地局１との間の情報の伝送手段として携帯電話システムを用いる場合について説明したが、他のテレターミナル、簡易無線、特定小電力無線局、パーソナル無線、アマチュア無線等の無線通信システムを用いても良い。
【００５０】
【発明の効果】
この発明に依れば、情報発信源から携帯情報端末までの距離に応じて優先順位を付けるので、ユーザのいる場所に応じた適切な情報を提供可能なサービスを実現できる。また、この発明は、ユーザの興味の度合いに応じて優先順位を付けるので、ユーザの興味に応じた適切な情報を提供できる。
【００５１】
また、この発明に依れば、基本情報を配信し、ユーザの要求に応答して詳細情報を提供するので、サービス提供者は、情報サービスにおいて新規顧客獲得の機会が増大する。さらに、この発明に依れば、データ量の少ない基本情報と、ユーザの要求に応じたデータ量の多い詳細情報を使い分けて処理することができるため、情報通信網等の効率的な運用および蓄積データの有効利用を図ることができる。
【図面の簡単な説明】
【図１】この発明の一実施形態の全体構成を示すブロック図である。
【図２】この発明の一実施形態の動作説明に用いるフローチャートである。
【図３】この発明の一実施形態における基本情報の説明に用いる略線図である。
【図４】この発明の一実施形態における優先度決定処理の説明に用いるフローチャートである。
【図５】この発明の一実施形態における目的入力用テーブルを示す略線図である。
【図６】この発明の一実施形態における興味の度合いを入力するためのテーブルを示す略線図である。
【図７】この発明の一実施形態における優先度決定関数の第１の例のグラフである。
【図８】この発明の一実施形態における優先度決定関数の第２の例のグラフである。
【図９】この発明の一実施形態における優先度決定関数の第３の例のグラフである。
【図１０】この発明の一実施形態における優先度決定関数の第４の例のグラフである。
【図１１】この発明の一実施形態のより具体的な構成を示すブロック図である。
【図１２】提供される情報の一例を示す略線図である。
【図１３】この発明の一実施形態のより具体的な例における優先度決定関数を示すグラフである。
【図１４】この発明の一実施形態のより具体的な例における基本情報の表示例を示す略線図である。
【図１５】この発明の一実施形態のより具体的な例における詳細情報の表示例を示す略線図である。
【図１６】この発明のシステム構成の第２の例を示すブロック図である。
【図１７】この発明のシステム構成の第３の例を示すブロック図である。
【図１８】この発明のシステム構成の第４の例を示すブロック図である。
【図１９】この発明のシステム構成の第５の例を示すブロック図である。
【図２０】この発明のシステム構成の第６の例を示すブロック図である。
【符号の説明】
１・・・情報基地局、２・・・データベース、３・・・人工衛星、４・・・情報携帯端末、１０１・・・中継局
【図１】
0003900681.tif 000003
【図２】
0003900681.tif 000004
【図３】
0003900681.tif 000005
【図４】
0003900681.tif 000006
【図５】
0003900681.tif 000007
【図６】
0003900681.tif 000008
【図７】
0003900681.tif 000009
【図８】
0003900681.tif 000010
【図９】
0003900681.tif 000011
【図１０】
0003900681.tif 000012
【図１１】
0003900681.tif 000013
【図１２】
0003900681.tif 000014
【図１３】
0003900681.tif 000015
【図１４】
0003900681.tif 000016
【図１５】
0003900681.tif 000017
【図１６】
0003900681.tif 000018
【図１７】
0003900681.tif 000019
【図１８】
0003900681.tif 000020
【図１９】
0003900681.tif 000021
【図２０】
0003900681.tif 000022